(57)【特許請求の範囲】
【請求項１】
一方の枠部材の端面を他方の枠部材の内側面に当接させた状態でこれら枠部材同士を直交状態に連結する枠連結金具であって、雌ネジおよび該雌ネジより大径のネジ挿入穴が側面を貫通して形成された受具と、雄ネジ部の先端側に該雄ネジ部より細くネジ山を持たない円柱状の先端部が形成された取付ネジとからなり、受具は、一方の枠部材の金具挿入穴の所定深さ位置に挿入されてネジ挿入穴の開口縁が取付ネジの先端部で押されたときに回転可能に配置され、取付ネジは、一方の枠部材の端面を他方の枠部材の内側面に当接させたときに略整列するように形成される他方の枠部材のネジ挿通穴および一方の枠部材のネジ挿入穴を通って、雄ネジ部が受具の雌ネジに螺着されることを特徴とする枠連結金具。
【請求項２】
取付ネジの先端部の最先端が傾斜面を介して先細状に形成されることを特徴とする、請求項１記載の枠連結金具。
【発明の詳細な説明】
【技術分野】
【０００１】
本発明は、枠部材同士（たとえば縦枠と横枠）を直交状態で連結するために用いる枠連結金具に関する。
【背景技術】
【０００２】
たとえばドア枠などの開口枠を形成するためには枠部材同士を直交状態で連結する必要があるが、従来は、下記特許文献１，２に示すような枠連結金具（受具）を取付ネジと共に用いて枠部材同士の連結を行っていた。この枠連結金具は、軸方向に直交して延長する貫通穴を有する円柱状部材と、該円柱状部材の貫通穴に同心状に設けられる板状ナット部材とからなる。連結すべき一方の枠部材（たとえば上枠）にあらかじめその端面から長手方向に延長するネジ挿入穴を形成すると共にその上面から金具挿入穴を形成してネジ挿入穴と直交させておくと共に、他方の枠部材（たとえば縦枠）の上枠端面との接合領域に第１穴と整列するようにネジ挿通穴を形成しておく。そして、現場で、板状ナット部材を円柱状部材に挿入した枠連結金具を、上枠の金具挿入穴から挿入してネジ挿入穴と交差する位置に配置すると共に、この位置で円柱状部材を適宜回転させて板状ナット部材の向きをネジ挿入穴に略整列させた状態にして、上枠に対して所定位置に置いた縦枠のネジ挿通穴に貫通させ、さらに上枠のネジ挿入穴に挿入して、金具挿入穴とネジ挿入穴の交点に所定の向きで収容されている板状ナット部材に螺合することにより、縦枠と上枠とを連結する。
【０００３】
このような従来技術によると、上枠のネジ挿入穴と金具挿入穴の交点位置に挿入した枠連結金具の板状ナット部材の向き（軸心）が上枠のネジ挿入穴の軸心（したがってネジ挿入穴に挿入される取付ネジの軸心）とが厳密に一致せずに角度的に若干のずれがあったとしても、円柱状部材は金具挿入穴の内径と略同一またはそれより若干小さい外径を有するものとして形成されているので、取付ネジを螺合させていくときに、枠連結金具全体が金具挿入穴の中で自動的に回転してこれらの軸心を合わせる作用（自動調心作用）が働く。したがって、枠部材同士の連結作業において軸心合わせに細心の注意を払わなくても、枠部材同士を強固に連結することができるという利点が発揮される。
【先行技術文献】
【特許文献】
【０００４】
【特許文献１】特開２００８−０５０７９７号公報
【特許文献２】特開２００８−０８８６４８号公報
【発明の概要】
【発明が解決しようとする課題】
【０００５】
しかしながら、上記従来技術においても、上枠のネジ挿入穴と金具挿入穴の交点位置に挿入した枠連結金具の板状ナット部材の軸心がネジ挿入穴の軸心と大きくずれていると、自動調心作用は発揮されない。すなわち、枠連結金具の板状ナット部材Ａが、図６に示すような回転角度位置で、縦枠ネジ挿通穴Ｂおよび上枠ネジ挿入穴Ｃに通した取付ネジＤに対して大きく軸心がずれた状態で金具挿入穴に挿入されている場合、取付ネジＤの先端が板状ナット部材Ａの雌ネジＥに通じるネジ挿入穴Ｆに入り込むことができず、板状ナット部材Ａの側面に当接した図示の状態で止まってしまうため、自動調心作用を得ることができない。
【０００６】
また、従来技術に用いられる取付ネジＤは先端までネジ山が形成されているため、図６に示すように板状ナット部材Ａの側面に当接した状態を自動調心後の雌ネジＥに入り込む直前の状態と勘違いして取付ネジＤの頭部をドライバーなどで回していくと、取付ネジＤの先端が板状ナット部材Ａの側面に螺入してしまうことがあった。このような状態になると、一旦取付ネジＤを逆回転させて板状ナット部材Ａの側面から引き離した後に、再度作業をやり直さなければならず、作業効率を大きく低下させることになっていた。
【０００７】
図６に示すほど大きく軸心がずれていない場合には、取付ネジＤを前進させていくとその先端がネジ挿入穴Ｆに入り込んでいって板状ナット部材Ａを回転させ、自動調心作用が得られることになるが、軸心が完全に一致しないと取付ネジＤを雌ネジＥに螺着させることができないため、その作業に時間と手間がかかることがあった。
【０００８】
したがって、本発明が解決しようとする課題は、上記自動調心作用がより確実に発揮されるようにするための金具構造を提供することである。
【課題を解決するための手段】
【０００９】
この課題を解決するため、請求項１に係る本発明は、一方の枠部材の端面を他方の枠部材の内側面に当接させた状態でこれら枠部材同士を直交状態に連結する枠連結金具であって、雌ネジおよび該雌ネジより大径のネジ挿入穴が側面を貫通して形成された受具と、雄ネジ部の先端側に該雄ネジ部より細くネジ山を持たない円柱状の先端部が形成された取付ネジとからなり、受具は、一方の枠部材の金具挿入穴の所定深さ位置に挿入されてネジ挿入穴の開口縁が取付ネジの先端部で押されたときに回転可能に配置され、取付ネジは、一方の枠部材の端面を他方の枠部材の内側面に当接させたときに略整列するように形成される他方の枠部材のネジ挿通穴および一方の枠部材のネジ挿入穴を通って、雄ネジ部が受具の雌ネジに螺着されることを特徴とする。
【００１０】
請求項２に係る発明は、請求項１記載の枠連結金具において、取付ネジの先端部の最先端が傾斜面を介して先細状に形成されることを特徴とする、
【発明の効果】
【００１２】
請求項１に係る本発明によれば、取付ネジをねじ込んでいくと、その先端部が受具の雌ネジの内部に入り込んで、雄ネジ部を受具の雌ネジに案内する役割を果たすので、自動調心作用を確実に発揮して、作業手間の省略および施工時間の短縮を図ることができる。
【００１４】
請求項２に係る本発明によれば、取付ネジの先端部の最先端が傾斜面を介して先細状に形成されるので、先端部を受具の雌ネジ内に入り込ませることが容易であると共に、雌ネジに通じる開口（ネジ挿入穴）の開口縁に取付ネジの傾斜面が当たることによって受具を回転させて自動調心作用をより確実に発揮させることができるものとなる。
【図面の簡単な説明】
【００１５】
【図１】枠連結構造の一例を示す平面図（ａ）および側面図（ｂ）である。
【図２】この枠連結構造を得るために用いられる本発明の一実施形態による枠連結金具の受具の平面図（ａ）、正面図（ｂ）、底面図（ｃ）、側面図（ｄ）、Ａ−Ａ断面図（ｅ）およびＢ−Ｂ断面図（ｆ）である。
【図３】図２の受具と共に用いられる取付ネジの正面図（ａ）および先端部側の側面図（ｂ）である。
【図４】この枠連結金具を用いて枠連結構造を得るときに自動調心作用が発揮されることを時系列的に示す説明図である。
【図５】取付ネジの先端部形状についての他実施形態を示す部分正面図である。
【図６】従来技術による枠連結金具を用いたときの不都合状態を示す説明図である。
【発明を実施するための最良の形態】
【００１６】
本発明の好適な一実施形態による枠連結金具について、図１〜図４を参照して以下に詳述する。この枠連結金具は、上枠２０と縦枠３０とがいわゆる縦勝ちに連結された枠連結構造（図１）を得るために用いられるものであって、受具１０と取付ネジ４０とからなる。この実施形態において、上枠２０および縦枠３０はいずれもＭＤＦで形成されている。
【００１７】
図１を参照して、上枠２０には、端面２１で開口してその長手方向（枠体幅方向Ｘ）に所要長さ延長する一対のネジ挿入穴２２，２３が枠体奥行方向Ｙに所定間隔をおいてあらかじめ形成されている。ネジ挿入穴２２，２３は水平な軸心を有して平行に延長する。また、ネジ挿入穴２２，２３の内径は取付ネジ４０より若干大きく形成される。
【００１８】
さらに、上枠表面２４で開口する金具挿入穴２５，２６が、ネジ挿入穴２２，２３が形成されている長さ範囲内においてそれらの直上位置に各々形成され、ネジ挿入穴２２，２３より深くまで下方に延長している。これら金具挿入穴２５，２６は垂直な軸心を有する。したがって、上枠２０の厚み内において、ネジ挿入穴２２は金具挿入穴２５と直交状に交差し、ネジ挿入穴２３は金具挿入穴２６と直交状に交差している。符号２４は、上枠２０の上面を示す。
【００１９】
縦枠３０には、その上端近くを厚み方向（枠体幅方向Ｘ）に貫通するネジ挿通穴３１，３２が枠体奥行方向Ｙに所定間隔（ネジ挿入穴２２，２３と同間隔）をおいてあらかじめ形成されている。ネジ挿通穴３１，３２の内径は取付ネジ４０より若干大きく形成され、たとえばネジ挿入穴２２，２３と同径であって良い。ネジ挿通穴３１，３２の枠体奥行方向Ｙにおける位置は、上枠２０と縦枠３０とを縦勝ちに連結したときに、上枠２０におけるネジ挿入穴２２，２３と整列する位置関係となるように設計されている。ネジ挿通穴３１，３２の縦枠外面３６側の開口部３３，３４は、取付ネジ４０の頭部４１を受容するため、頭部４１の径に応じて拡径されている。符号３５は、上枠２０の端面２１と接合される縦枠３０の内面を示す。符号３７は、縦枠３０の上端面を示す。
【００２０】
図１に示す枠連結構造を得るために取付ネジ４０と共に用いられる受具１０は、一例として、図２に示す形状を有する。この受具１０は、上枠２０の金具挿入穴２５，２６の内径と略同一の外径を有する円柱体として形成されている。受具１０には、その軸方向と直交する方向に延長して側面１１を貫通するネジ挿入穴１４が形成される。ネジ挿入穴１４の内径は取付ネジ４０より若干大きく形成される。さらに、ネジ挿入穴１４と軸心を同じにして、雌ネジ１５を有する板状ナット１６が内設される。また、ネジ挿入穴１４が受具側面１１に開口する開口部では、徐々に内径が大きくなるように傾斜面１７が形成されている。なお、この実施形態では、板状ナット１６がネジ挿入穴１４の中央でネジ挿入穴１４と同心となる位置で受具１０に一体に固定されているが、従来技術として引用した特許文献１，２に示すように、受具１０の下面１３にスリットを形成して、別部材として用意した板状ナット１６を該スリットから挿入してネジ挿入穴１４と同心位置に配置しても良い。
【００２１】
受具１０の上面１２には、後述するようにして上枠２０の金具挿入穴２５，２６に挿入された受具１０が所定の向きとなるように適宜回転させるために、ドライバーの先端を挿入可能な溝１８が形成されている。この実施形態では、マイナスドライバーとプラスドライバーの両方を使用可能なように、受具１０の直径に亘る長溝１８ａと、この長溝１８ａと中心位置で直交する短溝１８ｂとで溝１８が形成されているが、短溝１８ｂも直径に至る長溝として形成したり、マイナスドライバー専用に長溝１８ａだけで溝１８を形成したり、あるいは、プラスドライバー専用に短溝１８ｂを直交させて溝１８としても良いことは言うまでもない。この実施形態において、長溝１８ａはネジ挿入穴１３と同方向に延長するものとして形成されているので、これを枠体幅方向Ｘに合わせることにより、上枠２０の金具挿入穴２５，２６に挿入した受具１０の向きをネジ挿入穴２２，２３の軸心Ｃ（図１）に略一致させることが容易である。
【００２２】
受具１０の軸方向長さは、これを上枠２０の金具挿入穴２５，２６に挿入して板状ナット１４の雌ネジ１５の軸心をネジ挿入穴２２，２３の軸心に整列させたときに、上枠２０の表面２４から突出しないことが必要であり、好ましくは、このときに受具１０の上面１２が表面２４と略面一となるような寸法に形成される。特に、受具１０の軸方向の全長を金具挿入穴２５，２６の深さと略同一とし、受具１０を金具挿入穴２５，２６の奥底まで挿入したときに、その軸心が自動的にネジ挿入穴２２，２３の軸心と整列するように、各部の寸法を設定することが好ましい。すなわち、雌ネジ１５の軸心は受具１０の上面から距離ｈ（図１（ｂ））の位置にあり、ネジ挿入穴２２，２３の軸心Ｃと一致している。
【００２３】
この受具１０と共に用いられる取付ネジ４０は、一例として、図３に示す形状を有する。この取付ネジ４０は、頭部４１と、ネジ山を持たない軸部４２と、雄ネジ部４３と、雄ネジ部４３より小径であってネジ山を持たない先端部４４とからなる。雄ネジ部４３の外径は、縦枠ネジ挿通穴３１，３２および上枠ネジ挿入穴２２，２３の内径と略同一であっても良いが、自動調心作用をより効果的に発揮させるためには、既述したようにこれらの内径より若干小さく形成することが好ましく、その場合の径寸法差は１ｍｍ以下とするのが良い。この径寸法差が１ｍｍより大きくなると、取付ネジ４０を縦枠ネジ挿通穴３１，３２および上枠ネジ挿入穴２２，２３に挿入したときに、取付ネジ４０の軸心がこれら穴の軸心から大きくずれやすくなり、自動調心作用がうまく働かず、取付ネジ４０を受具１０のネジ挿入穴１４にスムーズに挿入することができなくなる。また、図１の枠連結構造を得た後にネジ頭部４１に大きな衝撃が加わったときに、取付ネジ４０がこれら穴の中で動いてしまい、雌ネジ１５に対する螺合が緩んだり、雄ネジ部４３や雌ネジ１５のネジ山が破損して枠同士の連結が緩むおそれがある。
【００２４】
この実施形態における取付ネジ４０の先端部４４は、雄ネジ部４３より小径の円柱状に形成されているが、その最先端は傾斜面４５を介して先細状に形成されて先端面４６に至っている。すなわち、従来技術における取付ネジは先端までネジ山が形成されている（図６）が、取付ネジ４０は、雄ネジ部４３の先端側により小径で且つネジ山を持たない先端部４４が形成される点で大きく異なっている。このような先端部４４を形成することにより、取付ネジ４０を縦枠ネジ挿通穴３１，３２および上枠ネジ挿入穴２２，２３に挿入するときにこれら穴の側面にネジ山が引っ掛からず、スムーズに挿入することができるものとなる。また、雌ねじ１５のねじ山にも引っ掛からず、雄ネジ先端面４３ａを雌ねじ１５の開口端までスムーズに案内することができる。円柱状の先端部４４の径は、雄ネジ部４３の径の２０〜９０％とすることが好ましい。２０％未満とすると、先端部４４が雄ネジ部４３に対して極端に細くなってこれらの境界部分の強度が低下し、わずかな力が加わっても変形や破損を生ずるおそれがある。９０％より大きくなると、加工が難しいことに加えて、取付ネジを挿入しやすくなるメリットが十分に発揮されなくなる。
【００２５】
また、取付ネジ４０の先端部４４に形成される傾斜面４５は、図４を参照して後述するように、受具１０に対する自動調心作用を効果的に発揮させる上で有用である。傾斜面４５の取付ネジ４０の軸心に対する傾斜角度は１０〜４５度とすることが好ましい。この傾斜角度が１０度未満であると加工が難しく、４５度を超えると、傾斜面４５が受具１０のネジ挿入穴１４の開口縁（傾斜面１７）に当接した状態（図４（ａ））で取付ネジ４０を押し込んでいったときに、受具１０を回転させようとする分力より、受具１０を取付ネジ４０の進行方向に押動させようとする分力の方が大きくなってしまい、受具１０を回転させることによる自動調心作用が十分に働かなくなる。
【００２６】
取付ネジ４０の寸法は、一例として、雄ネジ部４３が長さ４５ｍｍ、径４．０ｍｍであり、先端部４４が長さ５ｍｍ、径３．２ｍｍであって、先端部４４の軸心に対して２０度の傾斜角度で傾斜面４５が形成されている。この実施形態において、縦枠ネジ挿通穴３１，３２および上枠ネジ挿入穴２２，２３の内径はいずれも４．２ｍｍであるので、取付ネジ４０の雄ネジ部４３との径寸法差は０．２ｍｍである。雄ネジ部４３は、取付ネジ４０の頭部４１が縦枠ネジ挿通穴３１，３２の拡径開口部３３，３４に収容されるまでねじ込んだときに、上枠ネジ挿入穴２２，２３と縦枠ネジ挿通穴３１，３２との交点位置に配置された受具１０の雌ネジ１５の軸方向長さ（板状ナット１６の厚さ）を完全に含むような位置および長さに形成される。
【００２７】
以上に説明した受具１０と取付ネジ４０を用いて図１の枠連結構造を得るには、上枠２０と縦枠３０とを、上枠２０の表面２４が縦枠３０の上端面３７と面一になるように縦勝ちにした位置関係とし、この位置関係において水平方向に整列状態となっている縦枠ネジ挿通穴３１，３２と上枠ネジ挿入穴２２，２３に対して各々取付ネジ４０を挿入する。
【００２８】
受具１０はあらかじめ上枠２０の金具挿入穴２５，２６とネジ挿入穴２２，２３との交点位置にセットされていても良いし、枠連結構造を組み立てる現場で上記交点位置にセットしても良いが、いずれの場合も、上枠表面２４に開口する金具挿入穴２５，２６の開口から目視しながら、ドライバーを溝１８に入れてその向きが枠体幅方向Ｘと略平行になるように適宜回転させて仮位置合わせを行っておく。
【００２９】
この仮位置合わせを行っても、受具１０の板状ナット１６の軸心（したがって雌ネジ１５の軸心）が縦枠ネジ挿通穴３１，３２および上枠ネジ挿入穴２２，２３の軸心と大きくずれていることがあり、あるいは受具１０を上記交点位置にセットした後に衝撃などで受具１０が不慮に回転して軸心ずれが大きくなることもある。図７を参照して既述したように、軸心ずれが一定以上大きくなると、自動調心作用が働かなくなって、枠連結作業に多くの時間と労力を要することになる。しかしながら、本発明によれば、取付ネジ４０の雄ネジ部４３の先端側により小径でネジ山を持たない先端部４４が形成されているので、この問題を解決することができる。以下、この作用について、図４を参照して説明する。図４では、受具１０の板状ナット１６の軸心が図６と同じ角度だけ大きくずれているが、本発明によれば、この場合にも自動調心作用が働いて、取付ネジ４０を雌ネジ１５にスムーズに螺合させることができる。
【００３０】
図４（ａ）には、取付ネジ４０を縦枠ネジ挿通穴３１，３２に挿通させ且つ上枠ネジ挿入穴２２，２３に挿入してねじ込んでいき、取付ネジ４０の先端が、上記交点位置において大きく軸心がずれた状態で配置されている受具１０の側面１１に当たったときの状態が示されている。
【００３１】
図４（ａ）の状態から、取付ネジ４０の頭部４１に形成したプラスまたはマイナスの溝（図示せず）にドライバーの先端を差し込んで締め付け方向に回転させながらさらに挿入していくと、取付ネジ先端部４４の傾斜面４５が、受具１０のネジ挿入穴１４が側面１１で開口する開口縁に形成された傾斜面１７に当たる（図４（ｂ））ので、さらに取付ネジ４０が押し込まれることにより、受具１０を反時計方向（図４において。以下も同じ。）に回転させて、先端部４４がネジ挿入穴１４の中に入り込んでいく（図４（ｃ））。
【００３２】
図４（ｄ）は、図４（ｃ）の状態からさらに取付ネジ４０が押し込まれて、先端部４４との段差となる雄ねじ先端面４３ａが、受具１０のネジ挿入穴１４の開口縁の回りの側面１１に突き当たった状態を示す。この位置関係でさらに取付ネジ４０を押し込もうとしても、雄ネジ先端面４３ａが側面１１に当たっているので前進することができず、受具１１を回転させることもできない。しかしながら、既述したように雄ネジ部４３の外径は縦枠ネジ挿通穴３１，３２および上枠ネジ挿入穴２２，２３の内径よりわずかに小さく形成され、その径寸法差による隙間を利用して、取付ネジ４０をこれら穴の中で上下左右に動かすことができるので、図４（ｄ）の状態であれば取付ネジ４０を上方に動かすことにより、先端部４４の側面でネジ挿入穴１４の開口縁や傾斜面１７を押して、受具１０を反時計方向にさらに回転させることができる。
【００３３】
このようにして受具１０が図４（ｄ）に示す回転角度位置からわずかでも反時計方向に回転すれば、雄ネジ部４３をネジ挿入穴１４の中に入り込ませることが可能となり、図４（ｅ）に示すように、雄ネジ先端面４３ａの一方（図では上方部分）がネジ挿入穴１４の開口縁の回りの受具側面１１に当接するので、その後さらに取付ネジ４０が前進することにより受具１０を反時計方向にさらに回転させ、ついにはその軸心が縦枠ネジ挿通穴３１，３２および上枠ネジ挿入穴２２，２３の軸心と一致する（図４（ｆ））。これで自動調心作用が得られるので、この状態からさらに取付ネジ４０をねじ込んでいくことにより、雄ネジ部４３が雌ネジ１５に螺合され、最終的に取付ネジ４０の頭部４１が縦枠外面３６の拡径開口部３３，３４に収容されるまでねじ込まれて、図４（ｇ）の状態が得られる。これにより、受具１０および取付ネジ４０により、上枠２０と縦枠３０を連結して、図１の枠連結構造が得られる。
【００３４】
以上において図示実施形態に基づいて本発明の枠連結金具について詳述したが、本発明はこの特定の形態に限定されるものではなく、特許請求の範囲に定義される発明の範囲内において様々に変形ないし変更して実施可能である。
【００３５】
取付ネジ４０の形状については、図５に示すような他形状を採用しても良い。図５（ａ）の取付ネジ４０は、円柱状の先端部４４の最先端を傾斜面４５を有する円錐状に形成したもの（したがって先端面４６が無い）であり、図５（ｂ）の取付ネジ４０は、円錐台状の先端部４４の最先端周縁を曲面状の傾斜面４５として形成したものである。いずれも、先端部４４の全体が雄ネジ部４３より細く形成されている。このような先端部形状であっても、図示実施形態の場合と同様に自動調心作用を発揮することができる。
【００３６】
また、既述実施形態では、縦勝ちで枠組みされる枠連結構造の上枠に受具１０を用いるものとしているが、他の横枠（中横枠や、四方枠であれば下枠）に用いても良いし、横勝ちで枠組みされる枠連結構造の縦枠に用いても良い。枠連結構造の形状や枠部材の形状・材質は特に限定されない。
【００３７】
既述実施形態では、受具１０が、金具挿入穴２５，２６の内径と略同一外径の略円柱形状を有するものとして示されているが、受具１０は、金具挿入穴２５，２６に挿入可能な外形状および外寸法を有するものであれば良く、これに限定されない。金具挿入穴２５，２６の横断面形状は円形であるが、その全体形状は円柱形状のほか、円錐形状や円錐台形状などであっても良い。あるいは、たとえば下部が円柱形状で上部が円錐形状ないし円錐台形状のように特殊な形状を有するものであっても良い。受具１０は、金具挿入穴２５，２６に挿入可能であり且つその内部で回転可能な形状であれば良く、たとえば下部が円柱形状で上部が円錐または円錐台形状である金具挿入穴２５，２６の場合は、その形状に対応する上部および下部形状を有する受具１０としても良い。
【００３８】
既述実施形態の受具１０には側面１１を貫通するネジ挿入穴１３が形成され、このネジ挿入穴１３に雌ネジ１５を備える板状ナット１４が固定されているが、既述したように、受具１０の下面１３にネジ挿入穴１３に通じるスリットを形成し、このスリットから板状ナット１４を挿入して所定位置に配置するようにしても良いし、ネジ挿入穴１３自体に雌ネジ１５を設けて取付ネジ４０を螺着するようにしても良い。
【符号の説明】
【００３９】
１０  受具
１１  側面
１２  上面
１３  下面
１４  ネジ挿入穴
１５  雌ネジ
１６  板状ナット
１７  傾斜面
１８  溝
１８ａ  長溝
１８ｂ  短溝
２０  上枠
２１  上枠の端面
２２，２３  上枠ネジ挿入穴
２４  上枠の表面
２５，２６  金具挿入穴
３０  縦枠
３１，３２  縦枠ネジ挿通穴
３３，３４  拡径開口部
３５  縦枠の内面
３６  縦枠の外面
３７  縦枠の上端面
４０  取付ネジ
４１  頭部
４２  軸部
４３  雄ネジ部
４３ａ  雄ネジ先端面
４４  先端部
４５  傾斜面
４６  先端面
【図１】
0006385156.tif 000002
【図２】
0006385156.tif 000003
【図３】
0006385156.tif 000004
【図４】
0006385156.tif 000005
【図５】
0006385156.tif 000006
【図６】
0006385156.tif 000007